(57)【要約】【課題】この発明は、情報提供者から提供される害獣情報を、情報受信者が必要とする地域の情報に絞って迅速に送信することを課題とするものである。【解決手段】この発明の害獣情報提供システムは、害獣の位置情報と情報受信者情報とを登録したサーバーを用いて構成する。  前記情報受信者情報には個々の情報受信者が受信を希望する害獣の位置情報を含むものとし、情報提供者がサーバーにアクセスして位置情報を含む害獣情報をサーバーに記録するステップと、サーバーにおいて前記情報提供者の位置情報と情報受信者の位置情報とをマッチングするステップと、前記マッチングステップにより得られた送信対象となる情報受信者に害獣情報を送信するステップを経て、情報提供者から提供された害獣情報を情報受信者に自動送信する。【選択図】図１
2013165652.tif 000002
【特許請求の範囲】
【請求項１】
情報受信者情報を登録したサーバーを用い、
前記情報受信者情報には、個々の情報受信者が受信を希望する害獣の位置情報を含み、
情報提供者がサーバーにアクセスして位置情報を含む害獣の情報をサーバーに記録するステップ
サーバーにおいて、前記情報提供者の位置情報と情報受信者の位置情報とをマッチングするステップ、
前記マッチングステップにより得られた送信対象となる情報受信者に害獣情報を自動送信するステップ、
とよりなる害獣情報提供システム。
【請求項２】
サーバーには、個々の情報提供者が提供する害獣の位置情報を含む情報提供者情報を記録するものとした、請求項１記載の害獣情報提供システム。
【請求項３】
サーバーの情報提供者情報は、個々の情報提供者について複数の位置情報を登録し、各位置情報にアドレスを付与したものとし、情報提供者は対応するアドレスをサーバーに送信するものとした、
請求項２記載の害獣情報提供システム。
【請求項４】
アドレスは電話番号とし、情報提供者は電話機から対応する電話番号に電話を掛けることにより情報を提供するものとした、
請求項３記載の害獣情報提供システム。
【発明の詳細な説明】
【技術分野】
【０００１】
この発明は、サル、クマ、シカ、イノシシ、カワウなどの害獣の出没情報を簡易手段で収集し、効率よく配信する害獣情報提供システムに関するものである。
【背景技術】
【０００２】
農林業においてサル、クマ、シカ、イノシシ、カワウなどの害獣対策は極めて重要な事項であり、特にサルの被害対策はサルの運動特性上シカ等より困難である。
サルの群れに電波発信機を装着して群れの移動を把握している市町においては、おおよそその群れの状況が判明してきているが、その移動情報の伝達が困難であり、改善が望まれている。
現状では調査員が不定期に調査を行い、位置情報をメーリングリストで配信している地域もあるが、配信地域が広域であるため、情報受信者は不要な情報を多数受信することになるという問題がある。
また、情報提供に際しては位置情報を送信する必要があるために、ＧＰＳ機能付きの携帯電話機や携帯端末を用いたり、緯度経度情報を入力する必要があり、情報提供者の増加の妨げとなっている。
【０００３】
情報提供者の位置情報と情報受信者の位置情報をサーバーに登録し、両位置情報を参照して特定の情報受信者のみに情報を送信するようにした発明として、特開２０１０−４９５０６号の発明がある。
しかしながら、この発明において利用される位置情報は、情報提供者及び情報受信者それぞれの端末の位置情報であって、提供される情報に関する位置情報ではない。
【特許文献１】特開２０１０−４９５０６号公報
【発明の開示】
【発明が解決しようとする課題】
【０００４】
この発明は、情報提供者から提供される害獣情報を、情報受信者が必要とする地域の情報に絞って迅速に送信することを第１に課題とし、情報提供者の情報提供方法を簡易化することを第２の課題とするものである。
【課題を解決するための手段】
【０００５】
この発明の害獣情報提供システムは、害獣の位置情報と情報受信者情報とを登録したサーバーを用いて構成する。
前記情報受信者情報には個々の情報受信者が受信を希望する害獣の位置情報を含むものとし、情報提供者がサーバーにアクセスして位置情報を含む害獣情報をサーバーに記録するステップと、サーバーにおいて前記情報提供者の位置情報と情報受信者の位置情報とをマッチングするステップと、前記マッチングステップにより得られた送信対象となる情報受信者に害獣情報を送信するステップを経て、情報提供者から提供された害獣情報を情報受信者に自動送信する。
前記位置情報は、スポット的な位置の情報の他、エリア情報も含むものである。
前記情報の提供及び受信は、パソコン、携帯電話機、スマートホン、情報携帯端末などネット接続可能な機器の他、固定電話機を用いることもできる。
【０００６】
この明細書において、害獣としてサルを例にとって以下説明するが、サルに限定されるものではない。
情報提供者が提供する情報は、害獣の位置情報を含むことが必須であるが、他に群れであるかハナレであるかというサルの行動状況の情報、群れの特定情報を含むことが好ましい。また、一つのシステムで複数の害獣に対応する場合は、動物の種類の情報が必要となる。
【０００７】
個々の情報提供者が提供する害獣の位置情報を含む情報提供者情報を予めサーバーに登録しておくことにより、情報提供作業を簡易化することができる。この場合、行動状況の情報も合わせて登録しておくこともできる。更に、情報提供者が特定の情報受信者への情報の配信を希望する場合は、配信を希望する情報受信者の地域情報や個人のメールアドレスなどを登録することができる。
【０００８】
請求項３の発明は、前記サーバーに登録する情報提供者情報は、個々の情報提供者について複数の位置情報を登録し、各位置情報にアドレスを付与したものとし、情報提供者は対応するアドレスをサーバーに送信するものとしたものである。このとき、位置情報に加えて上記追加の情報を登録することもできる。
前記アドレスはサーバーに登録された位置情報を特定し得るものであればよく、電話番号を用いることもできる。アドレスとして電話番号を用いる場合、情報提供者は固定電話を含む電話機から対応する電話番号に電話を掛けることにより、情報を提供することができる。
【発明の効果】
【０００９】
この発明において、情報提供者から提供された情報には害獣の位置情報が含まれており、情報受信者毎に受信を希望する位置情報がサーバーに登録されているので、受信者は希望する位置・エリアにおける害獣の情報のみを取得することができ、不要な情報が送信されることがない。
サーバーに情報提供者の提供する情報の位置情報などを予め登録しておくことにより、情報提供者は位置情報を送信する必要がなく、ＧＰＳ機能のない通信機器による情報の提供が可能となる。
したがって、この発明によれば、受信者にとって必要な情報のみが送信され、かつ情報提供者の数を増加させることにより情報の精緻化が可能となる。
また、提供された情報はサーバーのデータベースに格納し、ホームページに反映させたり、検索可能とすることができる。
【図面の簡単な説明】
【００１０】
【図１】この発明実施例のサーバーの構成を示す図
【図２】参考例におけるサル情報の入力画面
【符号の説明】
【００１１】
１      サーバー
６      ナンバーディスプレーアダプター
１１    入力ポート
１２    出力ポート
【発明を実施するための最良の形態】
【００１２】
以下この発明の実施例を説明する。
【実施例】
【００１３】
サーバー１は入力ポート１１と出力ポート１２を備えている。そして、サーバー１には、情報提供者からの情報の送信を常時監視する常駐プログラム２を格納すると共に、情報提供者情報を記録するユーザーテーブル３、情報テーブル４と情報受信者情報を記録する情報受信者テーブル５が設定してある。
前記常駐プログラムは、入力ポート１１で情報提供者からの電話を受信すると、ユーザーテーブル３及び情報テーブル４からサル情報を取得し、情報受信者テーブルにアクセスして情報受信者を特定し、出力ポート１２から情報を自動送信する。
【００１４】
前記入力ポート１１は電話番号Ａ、Ｂ、Ｃの３つの電話番号に対応したナンバーディスプレーアダプター６から受信した電話番号（情報提供者が送信先とした電話番号）を取得して常駐プログラムに引き渡す。
【００１５】
前記情報提供者情報は、情報提供者の氏名又は名称、ユーザーＩＤ、電話番号やメールアドレスなどの連絡先情報と、情報提供者が提供する害獣（サル）の状況を特定する事項を含むものとする。
前記サルの状況を特定する事項は、各情報提供者に複数の電話番号を割り当て、各電話番号毎に例えば以下の事項を特定して登録する。
・サルの場所
・サルの行動状況（群れ、ハナレ、泊まり場の区別）
・サルの群れを特定する情報
【００１６】
前記サルの場所の情報は、「Ｓさんの畑」というように地域住民が具体的に特定できる地名を登録すると共に、この場所に対応するＪＩＳのメッシュ番号を登録する。
前記サルの群れを特定する情報は、特定の場所（例えば「Ｓさんの畑」）に出没するサルの群れのコードを記録する。サルの群れを特定するコードは、サルに取り付けられた発信器に記録された群れを特定するコード（例えば「四日市市Ａ４」）を受信機（この発明を構成しない）で読み取る。
また、情報提供者から要求された場合は、当該者が提供した情報の送信先を特定する情報（例えば個々の情報受信者のユーザーＩＤ、電話番号、メールアドレス又は情報受信者の地域情報（ＪＩＳのメッシュ番号））を特定情報受信者情報として登録する。
【００１７】
上記により登録する情報は例えば以下のようになる。
電話番号Ａに対応して、サルの場所：Ｓさんの畑（メッシュ番号）、行動状況：群れ、群れのコード：四日市市Ａ４
電話番号Ｂに対応して、サルの場所：＊＊団地（メッシュ番号）、行動状況：ハナレ
電話番号Ｃに対応して、サルの場所：Ｓさんの畑（メッシュ番号）、行動状況：泊まり場
【００１８】
上記のように、Ａ、Ｂ、Ｃ３つの電話番号を各情報提供者に割り当て、各電話番号毎にサル情報を特定して登録することにより、情報提供者は特定の電話番号に電話をすることによって、サーバーにおいてその電話番号に対応するサルの状況として登録された情報を特定することができる。したがって、ＧＰＳ機能やメール機能のない固定電話でも情報を提供することができる。
【００１９】
前記情報受信者情報は常駐プログラムが取得したサル情報を送信すべき対象を選択するための情報であり、情報受信者の氏名又は名称、ユーザーＩＤ、電話番号やメールアドレスなどの連絡先情報と、情報受信者が提供を希望するサルの場所を特定する情報などのである。
前記サルの場所を特定する情報は、全国、県単位、地域（行政区域単位）、ＪＩＳのメッシュ番号などで特定する。
【００２０】
以下このシステムによる情報送受信の流れを説明する。
サーバー１には常駐プログラム２が格納してあると共に、電話番号Ａ、Ｂ、Ｃの各電話番号に関連付けて、ユーザーテーブル３、情報テーブル４が設定してある。前記ユーザーテーブル３には情報提供者のユーザーID（情報提供者の電話番号）が記録されている。そして、前記情報テーブル４にはユーザーIDに関連づけて当該情報提供者が提供する情報（段落００１５参照）が記録されている。
【００２１】
情報提供者はサルを発見すると、サルの場所、行動状況に応じて予め登録された電話番号Ａ、Ｂ、Ｃの何れかに電話をする。ナンバーディスプレーアダプター６によって受信電話番号及びユーザーID（情報提供者の電話番号）が識別され、サーバー１がこれらの情報を取得する。
次いで常駐プログラム１が情報テーブル４から情報内容を取得する。その手順は以下の通りである。
【００２２】
ナンバーディスプレーアダプター６によって受信電話番号がＡ、Ｂ、Ｃの何れかであるかが判別されるので、常駐プログラム２は対応する受信電話番号に関連づけられたユーザーテーブル３にアクセスし、ユーザーIDを検索する。対応するユーザーIDが存在しない場合は間違え電話とみなして処理を終了する。
対応するユーザーIDが検索された場合は、常駐プログラム２は情報テーブル４にアクセスし、ユーザーＩＤをキーワードとして当該情報提供者が提供する情報を検索し、取得する。
取得されたサル情報は出没情報データベース及びMAPに登録すると共に、以下の手順で送信する。
【００２３】
サーバー１の情報受信者テーブル５には、情報受信者の電話番号又はメールアドレス、情報の提供を希望するサルの出没地域（メッシュ番号）、情報提供者が指定する情報受信者の電話番号又はメールアドレスを記録する。
前記取得されたサルの情報に含まれる場所情報（メッシュ番号）と情報受信者が予め登録した受信を希望する地域のメッシュ番号とを比較演算し、当該情報を送信すべき情報受信者を特定する。次いで特定された情報受信者に送信ポートからサル情報を自動送信する。
情報受信者が固定電話を登録している場合には、サル情報が常駐プログラムによって音声に変換されて送信される。情報受信者がメールアドレスを登録している場合は、登録されたメールアドレスに文字情報として送信される。
上記において、情報提供者が送信先を指定している場合は、当該指定された送信先も送信対象として抽出され、サル情報が送信される。
【００２４】
上記においては、電話番号毎に情報を特定したので固定電話での情報提供が可能となるが、メールと連動させることもできる。
すなわち、サーバーにおいて情報提供者のメールアドレスに単純なメール送信文字（例えばア、イ、ウ）に対応してサル情報を登録する。このようにすることによって、情報提供者がサーバーに１ないし数文字のメールを送信することで、サルの位置、行動の状況を含む情報を提供することができる。
したがって、ＧＰＳ機能のない携帯電話機によってもサル情報を提供することができる。
【参考例】
【００２５】
図２はパソコン、携帯電話機、スマートフォンなどを用いて詳細な情報を提供するための情報提供画面である。
この画面を使用して情報を提供しようとする者は、予めサーバーに氏名又は名称、ユーザーＩＤ、パスワード、メールアドレスを登録しておく。登録した情報提供者がインターネットを経由してサーバーにアクセスすると、情報提供者の携帯電話機等の画面に図の入力画面が表示される。
情報提供者はこの画面に従って各項目を入力してサーバーに送信する。
その後の情報受信者の選択、送信の操作は上記実施例１と同じである。
このように、携帯電話機などを利用することにより、より詳細な情報をサーバーが取得することができる。
【００２６】
上記においては、情報提供者を予めサーバーに記録したが、それは情報提供者の信頼性を確保するためである。情報提供者を限定しない場合は、情報提供者情報をサーバーに登録することなく、だれもがサーバーにアクセスして情報を提供できるようにしてもよい。
【産業上の利用可能性】
【００２７】
この発明によれば、ＧＰＳ機能のない送信手段によって、詳細な位置情報を含む害獣の出没情報を収集、伝達することができるものであって、産業上の利用可能性を有するものである。
【図１】
2013165652.tif 000003
【図２】
2013165652.tif 000004